(57)【要約】【課題】  本発明は、従来にない作用効果を発揮する画期的な積雪防止装置並びに積雪防止方法を提供することを目的とする。【解決手段】  フェンスの上端面や橋の梁材の上端面などの積雪を防止したい建築物１の上端面部２に配設される積雪防止装置であって、前記上端面部２の上方位置に横設される横設体３と、この横設体３に対してこの横設体３を頂部３ａとして上方から被せ配設して前記上端面部２を覆う可撓性を有するネット体４とから成り、前記ネット体４を被せる横設体３の頂部３ａを縁状にしたものである。【選択図】      図２
2005146506.tif 000002
【特許請求の範囲】
【請求項１】
フェンスの上端面や橋の梁材の上端面などの積雪を防止したい建築物の上端面部に配設される積雪防止装置であって、前記上端面部の上方位置に横設される横設体と、この横設体に対してこの横設体を頂部として上方から被せ配設して前記上端面部を覆う可撓性を有するネット体とから成り、前記ネット体を被せる横設体の頂部を縁状にしたことを特徴とする積雪防止装置。
【請求項２】
フェンスの上端面や橋の梁材の上端面などの積雪を防止したい建築物の上端面部に配設される積雪防止装置であって、前記上端面部若しくは上端面部の周辺部に設けられる支持体を介して上端面部の上方位置に横設される横設体と、この横設体に対してこの横設体を頂部として上方から被せ配設して前記上端面部を覆う可撓性を有するネット体とから成り、前記ネット体を被せる横設体の頂部を縁状にしたことを特徴とする積雪防止装置。
【請求項３】
前記横設体は所定長を有する板状体で構成され、この板状体の長尺側縁を前記ネット体を被せ配設する前記横設体の頂部としたことを特徴とする請求項１，２のいずれか１項に記載の積雪防止装置。
【請求項４】
前記横設体は所定長を有する角状体で構成され、この角状体の長尺角縁を前記ネット体を被せ配設する前記横設体の頂部としたことを特徴とする請求項１，２のいずれか１項に記載の積雪防止装置。
【請求項５】
前記支持体は前記建築物の上端面部に着脱自在となるように構成されていることを特徴とする請求項１〜４のいずれか１項に記載の積雪防止装置。
【請求項６】
前記ネット体として適宜な繊維を編んだ網基材に合成樹脂を被覆したプラスチックネットを採用したことを特徴とする請求項１〜５のいずれか１項に記載の積雪防止装置。
【請求項７】
フェンスの上端面や橋の梁材の上端面などの積雪を防止したい建築物の上端面部への積雪を防止する方法であって、前記上端面部に上方から可撓性を有する被せ体を被せ配設して上端面部を覆うようにし、この上端面部に被せ体を被せ配設する際、この上端面部と被せ体の被せ部位との間に頂部が縁状となる介在物を介在せしめることを特徴とする積雪防止方法。
【請求項８】
前記被せ体として可撓性を有するネット体を採用することを特徴とする請求項７記載の積雪防止方法。
【発明の詳細な説明】
【技術分野】
【０００１】
本発明は、積雪防止装置並びに積雪防止方法に関するものである。
【背景技術】
【０００２】
雪国では積雪量が多くなると、建築物31、例えば図９に図示したように橋の通行路上方に架設される梁材31の上端面部32に積もった雪33がひさしのように側方に突き出た状態となる、いわゆる雪庇33ａが形成される。
【発明の開示】
【発明が解決しようとする課題】
【０００３】
ところで、これらの建築物31の上端面部32に形成された雪庇33ａは、気温が上がったり、雪庇33ａ自体の重量が重くなることで、側方に突き出ている（はみ出ている）だけに突然落下する恐れがあり、特に下方で人や車の通行があるような前述した場所では危険である。
【０００４】
そこで、しばしば建築物31に形成された雪庇33ａを手作業で落とす作業が行われているが、この作業は、雪庇形成場所が高所であった場合には容易ではなく非常に危険である。
【０００５】
本出願人は、この建築物の上端面部に形成される雪庇に着目し、種々の実験研究を重ねた結果、建築物の上端面部への積雪を防止し得る従来にない画期的な作用効果を発揮する積雪防止装置並びに積雪防止方法を開発した。
【課題を解決するための手段】
【０００６】
添付図面を参照して本発明の要旨を説明する。
【０００７】
フェンスの上端面や橋の梁材の上端面などの積雪を防止したい建築物１の上端面部２に配設される積雪防止装置であって、前記上端面部２の上方位置に横設される横設体３と、この横設体３に対してこの横設体３を頂部３ａとして上方から被せ配設して前記上端面部２を覆う可撓性を有するネット体４とから成り、前記ネット体４を被せる横設体３の頂部３ａを縁状にしたことを特徴とする積雪防止装置に係るものである。
【０００８】
また、フェンスの上端面や橋の梁材の上端面などの積雪を防止したい建築物１の上端面部２に配設される積雪防止装置であって、前記上端面部２若しくは上端面部の周辺部に設けられる支持体５を介して上端面部２の上方位置に横設される横設体３と、この横設体３に対してこの横設体３を頂部３ａとして上方から被せ配設して前記上端面部２を覆う可撓性を有するネット体４とから成り、前記ネット体４を被せる横設体３の頂部３ａを縁状にしたことを特徴とする積雪防止装置に係るものである。
【０００９】
また、前記横設体３は所定長を有する板状体で構成され、この板状体の長尺側縁を前記ネット体４を被せ配設する前記横設体３の頂部３ａとしたことを特徴とする請求項１，２のいずれか１項に記載の積雪防止装置に係るものである。
【００１０】
また、前記横設体３は所定長を有する角状体で構成され、この角状体の長尺角縁を前記ネット体４を被せ配設する前記横設体３の頂部３ａとしたことを特徴とする請求項１，２のいずれか１項に記載の積雪防止装置に係るものである。
【００１１】
前記支持体５は前記建築物１の上端面部２に着脱自在となるように構成されていることを特徴とする請求項１〜４のいずれか１項に記載の積雪防止装置に係るものである。
【００１２】
また、前記ネット体４として適宜な繊維を編んだ網基材に合成樹脂を被覆したプラスチックネットを採用したことを特徴とする請求項１〜５のいずれか１項に記載の積雪防止装置に係るものである。
【００１３】
また、フェンスの上端面や橋の梁材の上端面などの積雪を防止したい建築物１の上端面部２への積雪を防止する方法であって、前記上端面部２に上方から可撓性を有する被せ体４を被せ配設して上端面部２を覆うようにし、この上端面部２に被せ体４を被せ配設する際、この上端面部２と被せ体４の被せ部位４ａとの間に頂部３ａが縁状となる介在物３を介在せしめることを特徴とする積雪防止方法に係るものである。
【００１４】
また、前記被せ体４として可撓性を有するネット体４を採用することを特徴とする請求項７記載の積雪防止方法。
【発明の効果】
【００１５】
本発明は上述のように構成したから、フェンスの上端面や橋の梁材の上端面などの建築物の上端面部への積雪を確実に防止することができ、例えばこの積雪を防止することによって雪庇が形成されることを確実に防止することができ、しかも、簡易構造故に施工が簡易且つコスト安に行えることになるなど、従来にない作用効果を発揮する画期的な雪庇防止装置となる。
【発明を実施するための最良の形態】
【００１６】
好適と考える本発明の最良の形態（発明をどのように実施するのが最良か）を、図面に基づいて本発明の作用効果を示して簡単に説明する。
【００１７】
本発明は、フェンスの上端面や橋の梁材の上端面などの積雪を防止したい建築物１の上端面部２を覆うネット体４の存在により可及的に積雪が防止される。
【００１８】
具体的には、このネット体４は、建築物１の上端面部２の上方位置に横設される横設体３に被せ配設することで当該上端面部２を覆う構成であり、更に、このネット体４を被せる横設体３の頂部３ａを縁状にしている。
【００１９】
つまり、単に建築物１の上端面部２をネット体４で覆うだけでなく、この建築物１の上端面部２の上方位置に縁状の頂部３ａを有する横設体３を横設し、この横設体３の縁状の頂部３ａにネット体４を上方から被せ配設する構造であるから、ネット体４の上端部（被せ部位）は広い面積（広い巾）のある巾広平坦状ではなく縁状となり、よって、建築物１の上端面部２への積雪は可及的に防止されることになる。
【００２０】
また、本発明は、横設体３に被せ配設するものとして可撓性を有するネット体４を採用したから、より一層良好な積雪防止効果などの効果が得られる。
【００２１】
即ち、例えば単なる表面が面状のシートに比してネット体４は線状材で構成されて表面積が狭い故に雪が付着しにくく、仮に雪が付着したとしても、雪庇のような大きな塊となる前に雪は自然に落ち易く、また、通気性がある故に、空気が流通可能であるから雪溶け効果が得られることになり、しかも、ネット体４は可撓性を有する故に風圧や雪圧等の外圧によって変形するためネット体４に付着した雪は大きな雪庇（雪塊）に成長する前に自重により自然に分裂して落下することになり（ネット体４の変形により落下し易い状態となる。）、そして、例えば風でばたつく（震動する）ことで付着した雪を弾き飛ばす機能も発揮されることになり、とは言え、ばたつくものの通気性を有する故に必要以上のばたつきが生じることもない（必要以上にばたつくと、ネット体４が破損したりネット体４を被せ配設した位置から外れたりするなどの原因となり、しかも、騒音となり例えば通行人や周辺住民に対して威圧感を与えてしまう。）。
【００２２】
また、本発明は、建築物１の上端面部２に横設した横設体３にネット体４を上方から被せ配設するだけの簡易構造故に、施工作業性が極めて良好であり、積雪を防止したい箇所に積雪防止構造がコスト安に得られることになり、そして更に、建築物１の美観を損ねることもない。
【実施例】
【００２３】
本発明の具体的な実施例について図面に基づいて説明する。
【００２４】
本実施例は、積雪を防止したい建築物１の上端面部２に配設されるものである。
【００２５】
尚、本実施例では、積雪を防止したい建築物１として、橋の通行部の上方に形成される門型構造物Ａの一部分である梁材１（Ｔ字鋼）としているが、その他にも例えばビルの屋上に形成されるフェンスの上端面など本実施例の特性を発揮し得る箇所であれば適宜適用し得るものである。
【００２６】
具体的には、本実施例は、建築物１（梁材）の上端面部２の上方位置に横設される横設体３（介在物）と、この横設体３に上方から被せ配設して上端面部２を覆うネット体４とで構成されている。
【００２７】
横設体３は、図１，２に図示したように適宜な金属製の長尺薄板状体（Ｌ型アングル材）で形成したものであり、支持体５を介して建築物１（梁材）の上端面部２の上方位置に横設され、その一方の長尺側縁部３ａがネット体４を支持する長尺縁状の頂部３ａとなり、他方の長尺側縁部３ｂがネット体４を傾斜状態に支持する支持部３ｂとなるように構成されている。
【００２８】
従って、横設体３の頂部３ａは縁状であるから、この横設体３に被せ配設したネット体４の被せ部位４ａの最上部が広い面積（広い巾）のある巾広平坦状ではなく縁状（側断面視山形状）となる。
【００２９】
本発明で言う横設体３の頂部３ａの縁状（ネット体４の被せ部位４ａの縁状）とは、板材の縁のような細縁に限定されるものではなく、建築物１の上端面部２の巾よりも十分に狭い上面を有する物（長尺物）、例えば角棒材や丸棒材の上面のように該上面の巾が狭いものも含まれる意味であり、要は、雪庇（雪塊）を形成するまでには雪が積もらない程度の巾のものであれば広く含まれる意味である（線状、平坦面状、湾曲面状なども含まれる。）。
【００３０】
また、この縁状について説明すると、図３〜６に図示したように横設体３の頂部３ａにネット体４を被せた際、後述する支持体５（立設部材７）が側方へ突出している為、ネット体４の被せ部位４ａには若干の巾を有する細長平面部４ａ'も形成されているが、この細長平面部４ａ'は雪庇の形成を防止し得る狭い巾（建築物１の上端面部２の巾よりも十分に狭い巾）であり、このように結果的に雪庇の形成を防止し得る巾を作出する構成であっても本発明の機能は十分達成し得るものである。つまり、頂部が縁状とはこの細長平面部４ａ'をシート体４に作出し得る構造という意味も含まれる。
【００３１】
尚、本実施例では、横設体３としてＬ型アングル材を採用し、その長尺側縁部を頂部３ａとしたが、例えば角部３ｃを頂部３ａとしても良く、また、Ｌ型アングル材に限られるものではなく、単なる平板状の板体を採用したり、長尺角縁部を有する断面三角形状や断面四角形状の角状体、或いは、丸棒体を採用するなど、要は横設体３に被せ配設したネット体４の被せ部位４ａが広い面積（広い巾）のある巾広平坦状ではなく縁状（側断面視山形状）となる縁状の頂部３ａを有する形状のものであれば良い。
【００３２】
支持体５は、既存の建築物１（梁材）に連結し得る連結部材６と、該連結部材６に立設される立設部材７で構成されている。
【００３３】
連結部材６は、図１に図示したように適宜な金属製の部材で形成したものであり、左右一対の係止半体６ａ，６ｂ同志をボルトとナットから成る止着部材８を介して重合連結して構成されている。
【００３４】
この各係止半体６ａ，６ｂは、夫々図１に図示したように連結する建築物１（Ｔ字鋼）の上端面部２の形状に応じた鉤形状に形成されており、止着部材６ｃを締め付けたり緩めたりすることで上端面部２へ挟持状態で着脱自在に連結し得るように構成されている。
【００３５】
従って、建築物１の上端面部２に横設体３を横設する支持体の連結構造として、挟持連結構造を採用したから、上端面部２に穴を開けたり溶接したりする必要がなく、既存の建築部分に簡易且つ迅速に施工し得ることになる。
【００３６】
尚、例えば図６に図示したように建築物１の上端面部２がＬ字形状であった場合や、角柱形状であった場合には、その形状にあった別形状の連結部材６を用意しておけば良い。
【００３７】
立設部材７は、図１に図示したように適宜な金属製の部材（Ｌ型アングル材）で形成したものであり、Ｌ型の板材を構成する一方の板部７ａを連結部材６を構成する係止半体６ａ，６ｂ同士の重合連結部が挟み込み状態で着脱自在に連結し得るように構成されている。
【００３８】
また、立設部材７は、その一方の板部７ａの上部にボルトとナットから成る止着部材９を介して前述した横設体３が連結し得るように構成されている。
【００３９】
また、立設部材７は、その一方の板部７ａに対して起き上がり状となる他方の板部７ｂが補強リブとしての機能を発揮し、この他方の板部７ｂの上部には下り傾斜状のテーパー面７ｂ'が形成されており、このテーパー面７ｂ'は、横設体３に被せ配設されたネット体４が傾斜状となるのに障害とならないようにする為のものである。尚、このテーパー面７ｂ'を前述した横設体３に係る支持部３ｂとともにネット体４を断面視山形状に支持するように構成しても良い。
【００４０】
ネット体４は、図２に図示したように適度な可撓性及び通気性を有する被せ体であり、具体的には、繊維束（ポリエステルフィラメント）を編んだ網基材に合成樹脂（塩化ビニール樹脂）を被覆したプラスチックネットを採用しており、被せ配設する建築物（梁材）１全体を被覆する大きさに設定されている。
【００４１】
このネット体４は、前述した合成樹脂コーティングにより雪が付着しにくく（コーティングされた網は、繊維の中に水分が入らず凍らない為、雪が付着しにくいことになる。）、強度面、耐久面において秀れていることを確認している。
【００４２】
尚、本発明で言うネット体４とは、その表面に貫通する通気窓が無数に形成された被せ体を指すものであり、通気窓の大きさは大きいものから小さなものまで種々あり、要は通気性を有する被せ体であれば広く含まれる意味である。
【００４３】
以上の構成から成る本装置の施工方法について説明する。
【００４４】
まず、図７に図示したように建築物（梁材）１に複数（計６個）の支持体５を連結固定し、この支持体５の上部間に横設体３を連結して横設する（予め横設体３が連結された状態で支持体５を建築物１に配設しても良い。）。
【００４５】
続いて、図８に図示したようにネット体４を横設体３の上方から被せ配設し、このネット体４の下端縁部同士を紐などの連結手段を使用して連結して張設状態に固定する。
【００４６】
この際、ネット体４は建築物１の上端面部２だけでなく、積雪が生じ易い建築物１全体を被覆することができる。
【００４７】
本実施例は上述のように構成したから、積雪を防止したい建築物１の上端面部２を覆うネット体４の存在により可及的に積雪が防止されることになり、即ち、単に建築物１の上端面部２をネット体４で覆うだけでなく、この建築物１の上端面部２の上方位置に縁状の頂部３ａを有する横設体３を横設し、この横設体３の縁状の頂部３ａにネット体４を上方から被せ配設する構造であるから、ネット体４の上端部（被せ部位）は広い面積のある平坦部ではなく縁状となり、よって、上端面部２への積雪は可及的に防止されることになる。
【００４８】
また、本実施例は、横設体３に被せ配設するものとして可撓性を有するネット体４を採用したから、単なる表面が面状のシートに比してネット体４は線状材で構成されて表面積が狭い故に雪が付着しにくく、仮に雪が付着したとしても、雪庇のような大きな塊となる前に雪は自然に落ち易く、また、通気性がある故に、空気が流通可能であるから雪溶け効果が得られることになり、しかも、ネット体４は可撓性を有する故に風圧や雪圧等の外圧によって変形するためネット体４に付着した雪は大きな雪庇（雪塊）に成長する前に自重により自然に分裂して落下することになり（ネット体４の変形により落下し易い状態となる。）、そして、例えば風でばたつくことで付着した雪を弾き飛ばす機能も発揮されることになり、とは言え、ばたつくものの通気性を有する故に必要以上のばたつきが生じることもない。
【００４９】
また、本実施例は、建築物１の上端面部２に支持体５を設け、この支持体５に横設した横設体３にネット体４を上方から被せ配設するだけの簡易構造故に、施工作業性が極めて良好であり、積雪を防止したい箇所に積雪防止構造がコスト安に得られることになり、そして更に、建築物１の美観を損ねることもない。
【００５０】
また、本実施例は、建築物１の上端面部２に横設体３を横設する支持体の連結構造として、着脱式の挟持連結構造を採用したから、上端面部２に穴を開けたり溶接したりする必要がなく、既存の建築部分に簡易且つ迅速に施工し得ることになる。
【００５１】
尚、本発明は、本実施例に限られるものではなく、各構成要件の具体的構成は適宜設計し得るものである。
【図面の簡単な説明】
【００５２】
【図１】本実施例に係る要部を示す斜視図である。
【図２】本実施例を説明する斜視図である。
【図３】本実施例を説明する斜視図である。
【図４】本実施例を示す側面図である。
【図５】本実施例に係る要部を示す側面図である。
【図６】別例を示す側面図である。
【図７】本実施例の施工状態を示す説明図である。
【図８】本実施例の施工状態を示す説明図である。
【図９】雪庇が形成される状態を示す説明図である。
【符号の説明】
【００５３】
１  建築物
２  上端面部
３  横設体・介在物
３ａ  頂部
４  ネット体・被せ体
４ａ  被せ部位
５  支持体
【図１】
2005146506.tif 000003
【図２】
2005146506.tif 000004
【図３】
2005146506.tif 000005
【図４】
2005146506.tif 000006
【図５】
2005146506.tif 000007
【図６】
2005146506.tif 000008
【図７】
2005146506.tif 000009
【図８】
2005146506.tif 000010
【図９】
2005146506.tif 000011